(57)【要約】【課題】従来、多くのユーザからアクセスされ得るウェブページを自動的に構築できなかった。【解決手段】２以上の用語を格納している用語データベースから、１以上の用語を取得する用語取得部と、用語取得部が取得した用語を用いて、１以上のウェブページを生成するウェブページ生成部と、ウェブページ生成部が生成した１以上のウェブページを、予め決められた蓄積場所に蓄積する蓄積部とを具備するウェブページ生成装置により、多くのユーザからアクセスされ得るウェブページを自動的に構築できる。【選択図】図２
2011138429.tif 000002
【特許請求の範囲】
【請求項１】
２以上の用語を格納している用語データベースから、１以上の用語を取得する用語取得部と、
前記用語取得部が取得した用語を用いて、１以上のウェブページを生成するウェブページ生成部と、
前記ウェブページ生成部が生成した１以上のウェブページを、予め決められた蓄積場所に蓄積する蓄積部とを具備するウェブページ生成装置。
【請求項２】
前記用語取得部は、
前記用語データベースから、２以上の用語を有する用語群を取得し、当該用語群を２以上の用語に分割し、当該２以上の用語を有する複数用語を１組以上取得し、
前記ウェブページ生成部は、
前記１組以上の各複数用語を用いて、１以上のウェブページを生成する請求項１記載のウェブページ生成装置。
【請求項３】
前記用語取得部は、
前記用語データベースから、現在から所定期間内に登録された用語のみを有する用語群を取得し、当該用語群を２以上の用語に分割し、当該２以上の用語を有する複数用語を１組以上取得する請求項２記載のウェブページ生成装置。
【請求項４】
前記ウェブページ生成部は、
前記用語取得部が取得した１以上の用語をタイトルまたはＵＲＬに有する、１以上のウェブページを生成する請求項１から請求項３いずれか記載のウェブページ生成装置。
【請求項５】
既存のウェブページを特定する情報である１以上の既存ウェブページ特定情報を格納し得る既存ウェブページ特定情報格納部をさらに具備し、
前記ウェブページ生成部は、
前記既存ウェブページ特定情報を用いて、前記既存のウェブページとのリンクを１以上のウェブページに付加する処理をさらに行う請求項１から請求項４いずれか記載のウェブページ生成装置。
【請求項６】
前記既存ウェブページ特定情報格納部は、
前記既存ウェブページ特定情報と、１以上の用語の組である既存ウェブ情報を、１以上格納しており、
前記ウェブページ生成部は、
前記用語取得部が取得した用語と対になる既存ウェブページ特定情報を、前記既存ウェブページ特定情報格納部から取得し、当該取得した既存ウェブページ特定情報を用いて、前記既存のウェブページとのリンクを１以上のウェブページに付加する処理をさらに行う請求項５記載のウェブページ生成装置。
【請求項７】
前記用語取得部は、
定期的に前記用語データベースにアクセスし、前回のアクセス時以降に前記用語データベースが更新されている場合、新たに追記された１以上の用語を前記用語データベースから取得する請求項１から請求項６いずれか記載のウェブページ生成装置。
【請求項８】
前記用語取得部は、
２以上の用語を格納している用語データベースから、１以上の用語を取得する用語取得手段と、
前記用語取得手段が取得した用語が、閾値より希少度の大きいか否かを判断する希少性判断手段と、
前記希少性判断手段が閾値より希少度の大きいと判断した用語を選択する用語選択手段とを具備する請求項１から請求項８いずれか記載のウェブページ生成装置。
【請求項９】
用語取得部、ウェブページ生成部、および蓄積部により実現されるウェブページ生成方法であって、
前記用語取得部により、２以上の用語を格納している用語データベースから、１以上の用語を取得する用語取得ステップと、
前記ウェブページ生成部により、前記用語取得ステップで取得された用語を用いて、１以上のウェブページを生成するウェブページ生成ステップと、
前記蓄積部により、前記ウェブページ生成ステップで生成された１以上のウェブページを、予め決められた蓄積場所に蓄積する蓄積ステップとを具備するウェブページ生成方法。
【請求項１０】
コンピュータを、
２以上の用語を格納している用語データベースから、１以上の用語を取得する用語取得部と、
前記用語取得部が取得した用語を用いて、１以上のウェブページを生成するウェブページ生成部と、
前記ウェブページ生成部が生成した１以上のウェブページを、予め決められた蓄積場所に蓄積する蓄積部として機能させるためのプログラム。
【発明の詳細な説明】
【技術分野】
【０００１】
本発明は、ウェブページを自動的に生成するウェブページ生成装置等に関するものである。
【背景技術】
【０００２】
従来、アクセスの集中に対応可能な処理能力を確保しつつ、無駄なコストを削減できるウェブページ生成システムがあった（例えば、特許文献１参照）。このシステムは、ユーザから要求されるウェブページを生成する第１サーバと複数の第１のサーバと通信可能な第２のサーバとを備えるウェブページ生成システムであって、前記第１のサーバは、過去に生成されたウェブページについて、このウェブページを構成する部分情報を単位として一時的に記憶する記憶手段と、ウェブページの閲覧の要求をユーザから受け付ける受付手段と、ユーザが閲覧を要求するウェブページの生成に必要な部分情報を前記記憶手段から検索する検索手段と、前記検索手段による検索の結果、必要な部分情報が記憶されていない場合に、この部分情報の生成を前記第２のサーバへ要求する要求手段と、前記検索手段によって検索された部分情報および前記要求手段によって生成が要求された部分情報を用いてウェブページを生成する生成手段とを有し、前記第２のサーバは、前記第１のサーバから要求された部分情報を生成し、生成された部分情報を前記第１のサーバへ提供することを特徴とするウェブページ生成システムである。
【先行技術文献】
【特許文献】
【０００３】
【特許文献１】特開２００８−７０９４９号公報（第１頁、第１図等）
【発明の概要】
【発明が解決しようとする課題】
【０００４】
しかしながら、従来のウェブページ生成システムは、ユーザからの要求を受けてウェブページを生成するものであり、多くのユーザからアクセスされ得るウェブページを自動的に構築するものではなかった。
【課題を解決するための手段】
【０００５】
本第一の発明のウェブページ生成装置は、２以上の用語を格納している用語データベースから、１以上の用語を取得する用語取得部と、用語取得部が取得した用語を用いて、１以上のウェブページを生成するウェブページ生成部と、ウェブページ生成部が生成した１以上のウェブページを、予め決められた蓄積場所に蓄積する蓄積部とを具備するウェブページ生成装置である。
【０００６】
かかる構成により、多くのユーザからアクセスされ得るウェブページを自動的に生成できる。
【０００７】
また、本第二の発明のウェブページ生成装置は、第一の発明に対して、用語取得部は、用語データベースから、２以上の用語を有する用語群を取得し、用語群を２以上の用語に分割し、２以上の用語を有する複数用語を１組以上取得し、ウェブページ生成部は、１組以上の各複数用語を用いて、１以上のウェブページを生成するウェブページ生成装置である。
【０００８】
かかる構成により、複数の用語を用いて、多くのユーザからアクセスされ得るウェブページを自動的に生成できる。
【０００９】
また、本第三の発明のウェブページ生成装置は、第二の発明に対して、用語取得部は、用語データベースから、現在から所定期間内に登録された用語のみを有する用語群を取得し、用語群を２以上の用語に分割し、２以上の用語を有する複数用語を１組以上取得するウェブページ生成装置である。
【００１０】
かかる構成により、新たに登録された用語を用いて、多くのユーザからアクセスされ得るウェブページを自動的に生成できる。
【００１１】
また、本第四の発明のウェブページ生成装置は、第一から第三いずれかの発明に対して、ウェブページ生成部は、用語取得部が取得した１以上の用語をタイトルまたはＵＲＬに有する、１以上のウェブページを生成するウェブページ生成装置である。
【００１２】
かかる構成により、多くのユーザからアクセスされ得るウェブページを自動的に生成できる。
【００１３】
また、本第五の発明のウェブページ生成装置は、第一から第四いずれかの発明に対して、既存のウェブページを特定する情報である１以上の既存ウェブページ特定情報を格納し得る既存ウェブページ特定情報格納部をさらに具備し、ウェブページ生成部は、既存ウェブページ特定情報を用いて、既存のウェブページとのリンクを１以上のウェブページに付加する処理をさらに行うウェブページ生成装置である。
【００１４】
かかる構成により、自動的に構築されたウェブページに、リンク情報を自動付加できる。
【００１５】
また、本第六の発明のウェブページ生成装置は、第五の発明に対して、既存ウェブページ特定情報格納部は、既存ウェブページ特定情報と、１以上の用語の組である既存ウェブ情報を、１以上格納しており、ウェブページ生成部は、用語取得部が取得した用語と対になる既存ウェブページ特定情報を、既存ウェブページ特定情報格納部から取得し、取得した既存ウェブページ特定情報を用いて、既存のウェブページとのリンクを１以上のウェブページに付加する処理をさらに行うウェブページ生成装置である。
【００１６】
かかる構成により、自動的に構築されたウェブページの内容を、当該ウェブページを検索したユーザの嗜好に合致したものにできる。
【００１７】
また、本第七の発明のウェブページ生成装置は、第一から第六いずれかの発明に対して、用語取得部は、定期的に用語データベースにアクセスし、前回のアクセス時以降に用語データベースが更新されている場合、新たに追記された１以上の用語を用語データベースから取得するウェブページ生成装置である。
【００１８】
かかる構成により、多くのユーザからアクセスされ得るウェブページを、早期に自動的に生成できる。
【００１９】
また、本第八の発明のウェブページ生成装置は、第一から第七いずれかの発明に対して、用語取得部は、２以上の用語を格納している用語データベースから、１以上の用語を取得する用語取得手段と、用語取得手段が取得した用語が、閾値より希少度の大きいか否かを判断する希少性判断手段と、希少性判断手段が閾値より希少度の大きいと判断した用語を選択する用語選択手段とを具備するウェブページ生成装置である。
【００２０】
かかる構成により、希少性の低い用語からウェブページを自動的に生成できる。
【発明の効果】
【００２１】
本発明によるウェブページ生成装置によれば、ウェブページを自動的に生成できる。
【図面の簡単な説明】
【００２２】
【図１】実施の形態１における情報システム１の概念図
【図２】同情報システムのブロック図
【図３】同ウェブページ生成装置の動作について説明するフローチャート
【図４】同ウェブページ生成処理の動作について説明するフローチャート
【図５】同既存ウェブページ特定情報管理表を示す図
【図６】同用語データベースを示す図
【図７】同格納しているウェブページの雛形の例を示す図
【図８】同生成したウェブページの例を示す図
【図９】同生成したウェブページの例を示す図
【図１０】同ウェブページ生成装置のブロック図
【図１１】同格納しているウェブページの雛形の例を示す図
【図１２】同生成したウェブページの例を示す図
【図１３】同コンピュータシステムの概観図
【図１４】同コンピュータシステムのブロック図
【発明を実施するための形態】
【００２３】
以下、ウェブページ生成装置を含む情報システム等の実施形態について図面を参照して説明する。なお、実施の形態において同じ符号を付した構成要素は同様の動作を行うので、再度の説明を省略する場合がある。
【００２４】
（実施の形態１）
【００２５】
本実施の形態において、２以上の用語を有する用語ＤＢから１以上の用語を取得し、当該用語を用いて１以上のウェブページを生成し、蓄積するウェブページ生成装置を含む情報システムについて説明する。
【００２６】
また、本実施の形態において、生成するウェブページの中で、あらかじめ決められた既存のウェブページへのリンクを張る技術についても説明する。
【００２７】
図１は、本実施の形態における情報システム１の概念図である。情報システム１は、用語データベースサーバ装置１１、ウェブページ生成装置１２、１以上のウェブサーバ装置１３、１以上の端末装置１４を具備する。用語データベースサーバ装置１１は、用語データベースを格納している。ウェブサーバ装置１３は、既存のウェブページを格納している。端末装置１４は、ユーザ端末であり、ウェブページを検索する検索エンジンを搭載している。
【００２８】
図２は、本実施の形態における情報システム１のブロック図である。用語データベースサーバ装置１１は、用語データベース格納部１１１、用語群送信部１１２を具備する。ウェブページ生成装置１２は、既存ウェブページ特定情報格納部１２１、用語取得部１２２、ウェブページ生成部１２３、蓄積部１２４を具備する。ウェブサーバ装置１３は、ウェブページ格納部１３１、ウェブページ送信部１３２を具備する。端末装置１４は、受付部１４１、ウェブページ受信部１４２、ウェブページ出力部１４３を具備する。
【００２９】
用語データベース格納部１１１は、用語データベースを格納している。用語データベースのデータ構造は問わない。用語データベース[0]は、区切り記号（スペースやカンマなど）で用語を区切った用語群でも良いし、リレーショナルＤＢの構造等でも良い。用語データベース[0]は、ウェブページ生成装置１２の外部の装置（ここでは、用語データベースサーバ装置１１）に存在するのが好適であるが、ウェブページ生成装置１２内に存在しても良い。用語データベース[0]内の用語は、人手により、図示しない入力手段により蓄積されても良いし、他の装置やソフトウェア等により自動蓄積されても良い。用語データベース[0]は、文章を含んでも良い。また、用語データベース[0]は、ＥＰＧなどでも良い。用語データベース[0]は、単に文書ファイルでも良い。用語データベース[0]は、通常、時々刻々と更新されるデータベースである。用語データベース[0]は、用語が追記されていくようになっていることが好適である。さらに、用語データベース[0]は、人手により入力される放送番組のキーワードの集合であることが好適である。ただし、用語データベース[0]の中の用語は問わない。用語データベース格納部１１１は、不揮発性の記録媒体が好適であるが、揮発性の記録媒体でも実現可能である。
【００３０】
用語群送信部１１２は、ウェブページ生成装置１２からのアクセス要求に応じて、１以上の用語を、ウェブページ生成装置１２に送信する。用語群送信部１１２は、通常、無線または有線の通信手段で実現されるが、放送手段で実現されても良い。
【００３１】
既存ウェブページ特定情報格納部１２１は、１以上の既存ウェブページ特定情報を格納し得る。既存ウェブページ特定情報は、既存のウェブページを特定する情報である。既存のウェブページとは、ウェブサーバ装置１３内のウェブページである。また、既存ウェブページ特定情報とは、ＵＲＬや、ＵＲＬとアイコンや、ＵＲＬとアイコンと文などである。既存ウェブページ特定情報は、生成されるウェブページ内に記載される情報（アイコンと文など）を含んでも良い。
【００３２】
既存ウェブページ特定情報格納部１２１は、１以上の既存ウェブ情報を格納していることが好適である。既存ウェブ情報とは、既存ウェブページ特定情報と１以上の用語の組である。ここでの用語とは、通常、既存ウェブページを象徴する用語である。
【００３３】
既存ウェブページ特定情報格納部１２１は、不揮発性の記録媒体が好適であるが、揮発性の記録媒体でも実現可能である。既存ウェブページ特定情報格納部１２１に既存ウェブページ特定情報が記憶される過程は問わない。例えば、記録媒体を介して既存ウェブページ特定情報が既存ウェブページ特定情報格納部１２１で記憶されるようになってもよく、通信回線等を介して送信された既存ウェブページ特定情報が既存ウェブページ特定情報格納部１２１で記憶されるようになってもよく、あるいは、入力デバイスを介して入力された既存ウェブページ特定情報が既存ウェブページ特定情報格納部１２１で記憶されるようになってもよい。
【００３４】
用語取得部１２２は、２以上の用語を格納している用語データベースから、１以上の用語を取得する。用語取得部１２２は、通常、用語データベースサーバ装置１１にアクセスに行き、１以上の用語を受信する。ここで、用語取得部１２２が取得する用語とは、通常、単語であるが、２以上の単語を有する単語列や文の一部などでも良い。
【００３５】
用語取得部１２２は、用語データベースから、２以上の用語を有する用語群を取得し、用語群を２以上の用語に分割し、２以上の用語を有する複数用語を１組以上取得しても良い。つまり、用語取得部１２２は、２以上の用語を有する複数用語を取得しても良い。複数用語の取得の場合も、用語取得部１２２は、通常、用語データベースサーバ装置１１にアクセスに行き、１組以上の複数用語を受信する。ここで、用語群とは、例えば、一番組の情報である。例えば、用語群は、チャンネルと放送時間で区切られた番組の情報である。
【００３６】
用語取得部１２２は、用語データベースから、現在から所定期間内に登録された用語のみを取得することは好適である。また、用語取得部１２２は、用語データベースから、現在から所定期間内に登録された用語のみを有する用語群を取得し、用語群を２以上の用語に分割し、２以上の用語を有する複数用語を１組以上取得することは好適である。ここで、所定期間内とは、現在から予め決められた期間内（例えば、1時間以内など）でも良いし、前回にアクセスした後、現在までの期間など、不定期間でも良い。
【００３７】
用語取得部１２２は、定期的に用語データベースにアクセスし、前回のアクセス時以降に用語データベースが更新されている場合、新たに追記された１以上の用語を用語データベースから取得することは好適である。
【００３８】
用語取得部１２２は、通常、ＭＰＵやメモリ等から実現され得る。用語取得部１２２の処理手順は、通常、ソフトウェアで実現され、当該ソフトウェアはＲＯＭ等の記録媒体に記録されている。但し、ハードウェア（専用回路）で実現しても良い。
【００３９】
ウェブページ生成部１２３は、用語取得部１２２が取得した用語を用いて、１以上のウェブページを生成する。ここで、ウェブページとは、多数のユーザが検索対象とする情報を言う。ウェブページは、通常、ファイルであるが、ファイルには限らない。ウェブページは、狭義には、ウェブ上の文書であるが、ここでは、広く、不特定多数のユーザが検索対象とする情報と捉えても良い。また、ここでのウェブページの生成とは、用語または用語から生成された用語関連情報がウェブページ内に記載されることを言う。
【００４０】
ウェブページ生成部１２３は、例えば、ウェブページの雛形を予め格納している、当該雛形に、用語取得部１２２が取得した用語を埋め込んでウェブページを、新たに生成する。ウェブページ生成部１２３は、一用語ずつ、用語の数だけ、ウェブページを生成しても良い。
【００４１】
ウェブページ生成部１２３は、１組以上の各複数用語を用いて、１以上のウェブページを生成する。つまり、ウェブページ生成部１２３は、複数用語ごとに、一のウェブページを生成しても良い。
【００４２】
ウェブページ生成部１２３は、用語取得部１２２が取得した１以上の用語をタイトルまたはＵＲＬに有する、１以上のウェブページを生成することは好適である。つまり、ウェブページ生成部１２３は、タイトルを自動生成して、ウェブページを生成しても良い。例えば、「＜用語１＞，＜用語２＞，・・・に関するページ」などというタイトルの雛形の文に、取得された用語を＜用語１＞や＜用語２＞などの変数に埋め込むことにより、ウェブページ生成部１２３は、タイトルを自動生成しても良い。また、ウェブページ生成部１２３は、ＵＲＬを自動生成しても良い。ウェブページ生成部１２３は、例えば、「http://www.sg.co.jp/＜用語1＞＜用語２＞page/page.html」などというＵＲＬの雛形の文に、取得された用語を＜用語１＞や＜用語２＞などの変数に埋め込むことによりＵＲＬを自動生成しれても良い。このＵＲＬは、蓄積部１２４が蓄積するファイル名に対応する。
【００４３】
ウェブページ生成部１２３は、既存ウェブページ特定情報を用いて、既存のウェブページとのリンクを１以上のウェブページに付加する処理をさらに行うことは好適である。つまり、ウェブページ生成部１２３は、既存ウェブページ特定情報格納部１２１から、１以上の既存ウェブページ特定情報を読み出し、当該１以上の既存ウェブページ特定情報で特定される既存のウェブページへのリンク（アンカー）をウェブページに付加する処理をさらに行う。ウェブページにリンクを付加する処理は、リンクを示すＨＴＭＬの記述を、ウェブページの所定箇所に書き込むことである。リンクを示すＨＴＭＬの記述は、例えば、「＜a href="ファイル名"＞」や「＜a style="background-image: ＵＲＬ(http://・・・・/画像.ｊｐｇ);" class="imgfilter" id="splimgfilter" href="・・・"＞＜/a＞」などである。なお、上記において「画像.jpg」は画像ファイルである。なお、ウェブページの記述言語は、ＨＴＭＬ、Ｃ−ＨＴＭＬ、ＸＭＬ等、問わないことは言うまでもない。
【００４４】
さらに、ウェブページ生成部１２３は、用語取得部１２２が取得した用語と対になる既存ウェブページ特定情報を、既存ウェブページ特定情報格納部１２１から取得し、取得した既存ウェブページ特定情報を用いて、既存のウェブページとのリンクを１以上のウェブページに付加する処理をさらに行うことは好適である。
【００４５】
ウェブページ生成部１２３は、通常、ＭＰＵやメモリ等から実現され得る。ウェブページ生成部１２３の処理手順は、通常、ソフトウェアで実現され、当該ソフトウェアはＲＯＭ等の記録媒体に記録されている。但し、ハードウェア（専用回路）で実現しても良い。
【００４６】
蓄積部１２４は、ウェブページ生成部１２３が生成した１以上のウェブページを、予め決められた蓄積場所に蓄積する。予め決められた蓄積場所とは、予め決められた装置、予め決められた装置とフォルダなどである。蓄積場所を特定する情報である蓄積先情報は、蓄積部１２４が予め保持している。蓄積先情報とは、例えば、装置を識別するＩＰアドレスや、装置とフォルダを特定するＵＲＩやＵＲＬなどである。予め決められた蓄積場所とは、ファイル名までが予め決められていることを意味しない。蓄積部１２４は、ウェブページ生成部１２３が用語を用いて生成したファイル名を、蓄積するウェブページのファイル名としても良い。
【００４７】
蓄積部１２４は、通常、ＭＰＵやメモリ等から実現され得る。蓄積部１２４の処理手順は、通常、ソフトウェアで実現され、当該ソフトウェアはＲＯＭ等の記録媒体に記録されている。但し、ハードウェア（専用回路）で実現しても良い。
【００４８】
ウェブページ格納部１３１は、ウェブページを格納している。ウェブページは、既存ウェブページである。ウェブページ格納部１３１は、不揮発性の記録媒体が好適であるが、揮発性の記録媒体でも実現可能である。ウェブページ格納部１３１にウェブページが記憶される過程は問わない。
【００４９】
ウェブページ送信部１３２は、端末装置１４からの指示に応じて、ウェブページ格納部１３１からウェブページを読み出し、当該ウェブページを端末装置１４に送信する。ウェブページ送信部１３２は、通常、無線または有線の通信手段で実現されるが、放送手段で実現されても良い。
【００５０】
受付部１４１は、ユーザから、各種の入力を受け付ける。受け付ける入力は、キーワードや、ウェブページ検索指示などの指示である。各種の入力の手段は、テンキーやキーボードやマウスやメニュー画面によるもの等、何でも良い。受付部１４１は、テンキーやキーボード等の入力手段のデバイスドライバーや、メニュー画面の制御ソフトウェア等で実現され得る。
【００５１】
ウェブページ受信部１４２は、受付部１４１が、１以上のキーワードと検索指示を受け付けた場合、受付部１４１が受け付けたキーワードを用いて、ウェブサーバ装置１３や、ウェブページ生成装置１２などを検索し、ウェブページを取得する。ウェブページ受信部１４２は、例えば、いわゆるウェブの検索エンジンである。
【００５２】
ウェブページ受信部１４２は、通常、ＭＰＵやメモリや無線または有線の通信手段等から実現され得る。ウェブページ生成部１２３の処理手順は、通常、ソフトウェアで実現され、当該ソフトウェアはＲＯＭ等の記録媒体に記録されている。但し、ハードウェア（専用回路）で実現しても良い。
【００５３】
ウェブページ出力部１４３は、ウェブページ受信部１４２が受信したウェブページを出力する。ウェブページ出力部１４３は、例えば、インターネットブラウザである。ウェブページ出力部１４３は、ディスプレイやスピーカー等の出力デバイスを含むと考えても含まないと考えても良い。ウェブページ出力部１４３は、出力デバイスのドライバーソフトまたは、出力デバイスのドライバーソフトと出力デバイス等で実現され得る。また、出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。
【００５４】
次に、情報システム１の動作について説明する。まず、用語データベースサーバ装置１１の動作について説明する。用語データベースサーバ装置１１の用語群送信部１１２は、ウェブページ生成装置１２からのアクセス要求に応じて、１以上の用語を、ウェブページ生成装置１２に送信する。アクセス要求がすべての用語を要求する場合、用語群送信部１１２は、用語データベース格納部１１１内のすべての用語をウェブページ生成装置１２に送信する。アクセス要求が、現在から所定期間内に登録された用語のみを要求する場合、用語群送信部１１２は、用語データベース格納部１１１から、現在から所定期間内に登録された1以上の用語を検索し、当該1以上の用語をウェブページ生成装置１２に送信する。また、アクセス要求が、前回にアクセスした後現在までに登録された用語を要求する場合、用語群送信部１１２は、用語データベース格納部１１１から、前回にアクセスした後現在までに登録された1以上の用語を検索し、当該1以上の用語をウェブページ生成装置１２に送信する。なお、かかる場合、用語データベースサーバ装置１１は、ウェブページ生成装置１２が、最近にアクセスした時刻を格納している、とする。さらに、用語データベースサーバ装置１１は、用語が登録された時刻も判断可能なように、用語が登録された時刻に関する情報（時刻そのものも情報も含む）を格納している。
【００５５】
次に、ウェブページ生成装置１２の動作について、図３のフローチャートを用いて説明する。
【００５６】
（ステップＳ３０１）用語取得部１２２は、用語を取得するタイミングであるか否かを判断する。用語を取得するタイミングであればステップＳ３０２に行き、用語を取得するタイミングでなければステップＳ３０１に戻る。
【００５７】
（ステップＳ３０２）用語取得部１２２は、１以上の用語を取得するためのアクセス要求を構成し、当該アクセス要求を、用語データベースサーバ装置１１に送信する。
【００５８】
（ステップＳ３０３）用語取得部１２２は、ステップＳ３０２におけるアクセス要求の送信に対応して、１以上の用語を受信したか否かを判断する。１以上の用語を受信すればステップＳ３０４に行き、１以上の用語を受信しなければステップＳ３０３に戻る。
【００５９】
（ステップＳ３０４）用語取得部１２２は、取得した１以上の用語を分割し、１以上の用語の集合を取得する。なお、用語取得部１２２は、取得した１以上の用語を、一つずつの用語に分割しても良いし、所定の単位で１以上の用語に分割しても良い。用語の集合は、通常、２以上の用語であるが、一つの用語であっても良い。所定の単位とは、番組の単位などである。
【００６０】
（ステップＳ３０５）ウェブページ生成部１２３は、カウンタｉに１を代入する。
【００６１】
（ステップＳ３０６）ウェブページ生成部１２３は、ステップＳ３０４で取得された用語の集合の中に、ｉ番目の用語の集合が存在するか否かを判断する。ｉ番目の用語の集合が存在すればステップＳ３０７に行き、ｉ番目の用語の集合が存在しなければステップＳ３０１に戻る。なお、ｉ番目の用語の集合は、一の用語でも良い。
【００６２】
（ステップＳ３０７）ウェブページ生成部１２３は、ウェブページを生成する。このウェブページ生成処理について、図４のフローチャートを用いて説明する。
【００６３】
（ステップＳ３０８）蓄積部１２４は、ステップＳ３０７で生成された１以上のウェブページを予め決められた蓄積場所に蓄積する。ウェブページごとに異なる装置、異なるフォルダに蓄積されても良いし、同じ装置の同じフォルダに蓄積されても良い。
【００６４】
（ステップＳ３０９）ウェブページ生成部１２３は、カウンタｉを１、インクリメントする。ステップＳ３０６に戻る。
【００６５】
なお、図３のフローチャートにおいて、電源オフや処理終了の割り込みにより処理は終了する。
【００６６】
次に、ステップＳ３０７のウェブページ生成処理について、図４のフローチャートを用いて説明する。
【００６７】
（ステップＳ４０１）ウェブページ生成部１２３は、ｉ番目の用語の集合を取得する。
【００６８】
（ステップＳ４０２）ウェブページ生成部１２３は、格納しているウェブページの雛形を読み出す。
【００６９】
（ステップＳ４０３）ウェブページ生成部１２３は、ステップＳ４０１で取得したｉ番目の用語の集合を、ステップＳ４０２で取得したウェブページの雛形に埋め込む。埋め込む場所は固定であっても良いし、ウェブページの雛形の中に指示されていても良い。また、ｉ番目の用語の集合を埋め込む場合、ウェブページ生成部１２３は、ｉ番目の用語の集合から文や情報を生成してから、当該生成した文や情報を、ウェブページの雛形の中に埋め込んでも良い。
【００７０】
（ステップＳ４０４）ウェブページ生成部１２３は、ｉ番目の用語の集合の中の１以上の用語をキーとして、既存ウェブページ特定情報格納部１２１を検索する。そして、ウェブページ生成部１２３は、既存ウェブページ特定情報格納部１２１から、０または１以上の既存ウェブページ特定情報を取得する。なお、ウェブページ生成部１２３は、ｉ番目の用語の集合の中の各用語の各々をキーとして、１以上の回数、繰り返して、既存ウェブページ特定情報格納部１２１を検索しても良いし、ｉ番目の用語の集合すべてをキーとして既存ウェブページ特定情報格納部１２１を検索しても良い。ここでの検索とは、通常、ｉ番目の用語の集合の中の用語と、既存ウェブページ特定情報の中の用語の一致であるが、部分一致でも良い。つまり、既存ウェブページ特定情報の中の用語が、ｉ番目の用語の集合の中の用語を一部に含む場合にも、検索結果を真、としても良い。また、ｉ番目の用語の集合の中の用語が、既存ウェブページ特定情報の中の用語を一部に含む場合にも、検索結果を真、としても良い。
【００７１】
（ステップＳ４０５）ウェブページ生成部１２３は、ステップＳ４０４で、既存ウェブページ特定情報を取得できたか否かを判断する。既存ウェブページ特定情報を取得できればステップＳ４０６に行き、既存ウェブページ特定情報を取得できばければステップＳ４０７に行く。
【００７２】
（ステップＳ４０６）ウェブページ生成部１２３は、ステップＳ４０４で取得できた１以上の各既存ウェブページ特定情報に対応するウェブページへのリンクを、ステップＳ４０３で用語の集合を埋め込んだ後のウェブページに付加する。上位処理にリターンする。
【００７３】
（ステップＳ４０７）ウェブページ生成部１２３は、何らかの既存ウェブページ特定情報に対応するウェブページへのリンクを、ステップＳ４０３で用語の集合を埋め込んだ後のウェブページに付加する。ウェブページ生成部１２３は、何らかの既存ウェブページ特定情報をランダムに、既存ウェブページ特定情報格納部１２１から選択しても良いし、順番に既存ウェブページ特定情報格納部１２１から選択しても良いし、固定の既存ウェブページ特定情報を選択しても良い。その他、何らかの既存ウェブページ特定情報を取得する方法は問わない。上位処理にリターンする。
【００７４】
なお、図４のフローチャートにおいて、ステップＳ４０７において、何らかの既存ウェブページ特定情報を取得したが、既存ウェブページ特定情報を取得しなくても良い。かかる場合、ウェブページに、既存ウェブページ特定情報に対応するウェブページへのリンクが付加されない。
【００７５】
また、図４のフローチャートにおいて、ｉ番目の用語の集合が複数の用語を含む場合、用語ごとに、ウェブページを生成しても良い。ウェブページの生成処理は、上述した通りである。
【００７６】
さらに、図４のフローチャートにおいて、用語ごとにウェブページを生成する場合、ステップＳ３０４の用語を分割する処理は不要である。
【００７７】
次に、本実施の形態における情報システム１の具体的な動作について説明する。情報システム１の概念図は図１である。
【００７８】
今、既存ウェブページ特定情報格納部１２１は、図５に示す既存ウェブページ特定情報管理表を保持している。既存ウェブページ特定情報管理表は、「ＩＤ」「ＵＲＬ」「アイコン」「文」「用語」の属性を有するレコードを１以上格納している。「ＩＤ」は、レコードを識別する情報である。「ＵＲＬ」は、既存ウェブページ特定情報で特定されるウェブページのＵＲＬである。また、「アイコン」は、生成されるウェブページ上に貼り付けられる画像データである。画像データは、動画でも良く、その形式は問わない。画像データは、バナー広告になっても良い。画像データがバナー広告である場合、そのリンク先は、「ＵＲＬ」で特定されるウェブページである。「文」は、生成されるウェブページ上に付加される文であり、リンクになっていても良い。リンクの飛び先は、「ＵＲＬ」で特定されるウェブページである。「用語」は、既存ウェブページ特定情報が検索されるための文字列の集合である。「用語」の中の一つの用語が一致すれば、既存ウェブページ特定情報が検索されても良いし、すべての用語が一致すれば、既存ウェブページ特定情報が検索されても良い。また、「用語」の中の一つの用語が部分一致した場合でも、既存ウェブページ特定情報が検索されても良い。
【００７９】
図６は、用語データベース格納部１１１の用語データベースである。用語データベースは、放送されている番組ごとに、キーワードを管理しているデータベースである。用語データベースには、番組が放送されている間、または放送終了後、ただちに、人手により、番組の内容を示すキーワードが入力される、とする。図６は、２００９年７月３０日１４：００における用語データベースの状況である。１４：００の時点で、１３時から１４時までに放送された番組の内容を示すキーワードが、用語データベースに追記された、とする。つまり、現在、２００９年７月３０日１４：００である。
【００８０】
かかる状況において、ウェブページ生成装置１２の用語取得部１２２は、定期的（例えば、１時間ごと）に、用語データベースサーバ装置１１にアクセスに行く、とする。つまり、用語取得部１２２は、番組ごとに、１以上の用語を送信する指示であるアクセス要求を構成し、当該アクセス要求を、用語データベースサーバ装置１１に送信する。
【００８１】
次に、用語データベースサーバ装置１１は、アクセス要求を受信する。そして、用語データベースサーバ装置１１の用語群送信部１１２は、番組ごとに用語を取得する。つまり、用語群送信部１１２は、用語データベース格納部１１１から「ニュース，スポーツ，株価，事件，・・・」「番組Ａ，出演者Ｘ，ファッション，レストランＲ，牛肉，・・・」「・・・」という用語群を取得する。そして、用語群送信部１１２は、１以上の用語群をウェブページ生成装置１２に送信する。
【００８２】
次に、用語取得部１２２は、アクセス要求の送信に対応して、１以上の用語「ニュース，スポーツ，株価，事件，・・・，番組Ａ，出演者Ｘ，ファッション，レストランＲ，牛肉，・・・，・・・」を受信する。
【００８３】
次に、ウェブページ生成部１２３は、ここでは用語毎に、以下のようにウェブページを生成する。
【００８４】
つまり、ウェブページ生成部１２３は、受信した用語の集合「ニュース，スポーツ，株価，事件，・・・，番組Ａ，出演者Ｘ，ファッション，レストランＲ，牛肉，・・・」から、用語「ニュース」を取得する。
【００８５】
次に、ウェブページ生成部１２３は、格納しているウェブページの雛形を読み出す。格納しているウェブページの雛形は、例えば、図７である。
【００８６】
そして、ウェブページ生成部１２３は、用語「ニュース」等をウェブページの雛形に埋め込む。つまり、図７において、「＜」「＞」で囲まれたものが変数であり、文字列等に置き換わる。つまり、図７の変数＜用語＞は、ウェブページ生成部１２３が取得した一つの用語に置き換わる。
【００８７】
また、ウェブページ生成部１２３が、用語をキーとした検索により、既存ウェブページ特定情報を取得できた場合、図７の変数＜すべての用語＞は、図５に示す既存ウェブページ特定情報管理表の属性「用語」内のすべての用語に置き換わる。また、図７の変数＜文＞は、既存ウェブページ特定情報管理表の属性「文」の属性値に置き換わる。また、図７の変数＜ＵＲＬ＞は、既存ウェブページ特定情報管理表の属性「ＵＲＬ」の属性値に置き換わる。さらに、図７の変数＜アイコン＞は、既存ウェブページ特定情報管理表の属性「アイコン」の属性値に置き換わる。
【００８８】
なお、ウェブページ生成部１２３が、用語をキーとした検索により、既存ウェブページ特定情報を取得できなかった場合、何らかの既存ウェブページ特定情報のレコードの情報により、＜＞内の変数値が置き換わる。
【００８９】
そして、ここでは、ウェブページ生成部１２３は、用語「ニュース」をキーとして、既存ウェブページ特定情報格納部１２１を検索する。しかし、既存ウェブページ特定情報を検索できなかった、とする。そこで、ウェブページ生成部１２３は、最初（ＩＤ＝１）の既存ウェブページ特定情報を、図５の既存ウェブページ特定情報管理表から取得する、とする。そして、ウェブページ生成部１２３は、ウェブページの雛形の変数＜すべての用語＞には、「肉，牛，牛肉，・・・」を代入する。また、ウェブページ生成部１２３は、変数＜文＞には、「○○肉の焼肉店「ＸＸ］・・・」を代入する。また、ウェブページ生成部１２３は、変数＜ＵＲＬ＞には、「http://www.xx.co.jp/」を代入する。さらに、ウェブページ生成部１２３は、変数＜アイコン＞には、アイコンのファイル名（ここでは「xx-icon.jpg」）を代入し、アイコンファイルを構成する。以上により、ウェブページ生成部１２３は、用語「ニュース」についてのウェブページを生成する（図８参照）。
【００９０】
次に、蓄積部１２４は、生成されたウェブページを予め決められた蓄積場所（例えば、ウェブページ生成装置１２内の予め決められたフォルダ）に蓄積する。ここで、蓄積部１２４は、蓄積場所を示す自装置内のフォルダの情報"/top/"を保持しており、かかるフォルダの下に、以下のファイル名のファイルを蓄積する。このファイル名は、例えば、「ニュース.html」である。つまり、ウェブページ生成装置１２は、「＜用語＞.html」のファイル名を生成していた、とする。
【００９１】
次に、第二番目の用語「スポーツ」を取得する。次に、ウェブページ生成部１２３は、格納しているウェブページの雛形（図７）を読み出す。
【００９２】
そして、ウェブページ生成部１２３は、用語「スポーツ」等をウェブページの雛形の＜用語＞の位置に埋め込む。
【００９３】
また、ウェブページ生成部１２３は、用語「スポーツ」をキーとして、既存ウェブページ特定情報管理表を検索する。そして、ウェブページ生成部１２３は、既存ウェブページ特定情報管理表の「ＩＤ＝２」のレコードを取得する。
【００９４】
そして、ウェブページの雛形（図７）の変数の箇所に、既存ウェブページ特定情報管理表の「ＩＤ＝２」のレコードの各属性値を埋め込む。
【００９５】
そして、ウェブページ生成部１２３は、図９のウェブページを得る。なお、「ＩＤ＝２」のレコードのアイコンの属性値が空であるので、図９において、＜アイコン＞が空に置き換わる。以上により、ウェブページ生成部１２３は、用語「スポーツ」についてのウェブページを生成する。
【００９６】
次に、蓄積部１２４は、生成されたウェブページを予め決められた蓄積場所（例えば、ウェブページ生成装置１２内の予め決められたフォルダ）に蓄積する。
【００９７】
以後、「株価」などの他の用語についても、ウェブページ生成部１２３は、ウェブページを生成する。そして、蓄積部１２４は、生成されたウェブページを予め決められた蓄積場所に蓄積する。
【００９８】
次に、ユーザは、例えば、２ｃｈで１３：００から放送していたテレビ番組を見て、スポーツについて調べたくなり、「スポーツ」を、端末装置１４の検索エンジンに入力した、とする。
【００９９】
次に、端末装置１４の受付部１４１は、キーワード「スポーツ」と、検索指示を受け付ける。そして、ウェブページ受信部１４２（検索エンジン）は、ウェブ上のウェブページを、キーワード「スポーツ」を用いて検索する。
【０１００】
そして、さきほど生成した「用語「スポーツ」についてのウェブページ」は、少し前に生成されたばかりなので、検索エンジンの検索結果の上位に出力されることが期待される。
【０１０１】
また、その後、ユーザは検索結果の中から、「用語「スポーツ」についてのウェブページ」へのリンクをクリックする、とする。
【０１０２】
すると、「用語「スポーツ」についてのウェブページ」が、端末装置１４のディスプレイに表示される。
【０１０３】
そして、「用語「スポーツ」についてのウェブページ」に記載されている「sportZ」へのリンクがクリックされる可能性が極めて高くなる。
【０１０４】
以上、本実施の形態によれば、多くのユーザからアクセスされ得るウェブページを自動的に構築できる。
【０１０５】
また、本実施の形態によれば、構築したウェブページの中に、ユーザに閲覧して欲しいウェブページのリンクを挿入できる。
【０１０６】
また、本実施の形態において、用語取得部１２２が取得する用語は、まだ、世の中に浸透していない用語であることは好適である。つまり、用語データベース[0]は、放送番組のキーワードの集合など、新出の用語の集合、希少である用語の集合であることは好適である。
【０１０７】
また、本実施の形態において、用語取得部１２２は、２以上の用語を格納している用語データベースから、希少な用語のみを取得することは好適である。かかる場合、希少な用語のみを用いて、ウェブページを生成できる。なお、かかる場合、用語取得部１２２は、用語取得手段１２２１、希少性判断手段１２２２、用語選択手段１２２３を具備する。用語取得手段１２２１は、２以上の用語を格納している用語データベースから、１以上の用語を取得する。希少性判断手段１２２２は、用語取得手段１２２１が取得した用語が、ある閾値より希少度の大きいか否かを判断する。ここで、閾値より希少度が大きいとは、いわゆる検索エンジンに用語を渡し、起動した場合の、被検索数が予め決められた値より小さいこと、予め決められた辞書（いわゆるウィキペディアなども含む）を検索し、ヒットしなかったこと、などである。用語選択手段１２２３は、希少性判断手段１２２２が閾値より希少度の大きいと判断した用語を選択する。そして、ウェブページ生成部１２３は、用語選択手段１２２３により選択された用語を用いて、ウェブページを生成する。
【０１０８】
かかる場合のウェブページ生成装置１２のブロック図を図１０に示す。
【０１０９】
また、図１０におけるウェブページ生成装置１２において、例えば、ＴＶ番組の情報（例えば、ＥＰＧの情報）「王様のブランチ、辻希子10万円お買い物パジャマの着方がダサいダンナの変身大作戦：おいしい!楽しい!肉料理テーマパーク：蛯原友子プロデュース超おしゃれなバッグ：草食男子」が、用語データベースサーバ装置１１の用語データベース格納部１１１に格納されている、とする。
【０１１０】
そして、ウェブページ生成装置１２の用語取得部１２２は、１以上の用語を取得するためのアクセス要求を構成し、当該アクセス要求を、用語データベースサーバ装置１１に送信する。
【０１１１】
そして、用語取得部１２２は、アクセス要求の送信に対応して、用語データベースサーバ装置１１から、１以上の用語を含む情報（前記ＴＶ番組の情報）を受信する。
【０１１２】
そして、用語取得部１２２の用語取得手段１２２１は、ＴＶ番組の情報から用語「王様のブランチ」「辻希子」「10万円」「お買い物」「パジャマ」・・・「蛯原友子」「プロデュース」・・・「草食男子」を取得する。なお、用語取得手段１２２１は、例えば、ＴＶ番組の情報から名詞または名詞句を取得しても良い。また、用語取得手段１２２１は、例えば、形態素解析を行い、名詞または名詞句を取得しても良い。
【０１１３】
次に、希少性判断手段１２２２は、用語取得手段１２２１が取得した用語に対して、ある閾値（例えば「５」）より希少度の大きいか否かを判断する。つまり、例えば、希少性判断手段１２２２は、いわゆるＷｅｂの検索エンジンに各用語を渡し、当該検索エンジンを起動した場合の、被検索数が予め決められた値（例えば「５」）より小さい用語のみを希少性のある用語である、と判断する。なお、Ｗｅｂの検索エンジンは、公知技術であるので、詳細な説明を省略する。
【０１１４】
そして、用語選択手段１２２３は、希少性判断手段１２２２の判断の結果を利用し、用語取得手段１２２１が取得した用語の中から、「草食男子」のみを取得した、とする。
【０１１５】
次に、ウェブページ生成部１２３は、用語「草食男子」を用いて、上述した処理により、ウェブページを生成する。つまり、まず、ウェブページ生成部１２３は、格納しているウェブページの雛形（ここでは、図１１）を読み出す。
【０１１６】
次に、ウェブページ生成部１２３は、用語「草食男子」を変数＜用語＞の箇所に埋め込み、用語の集合（「王様のブランチ」「辻希子」「10万円」「お買い物」「パジャマ」・・・「蛯原友子」「プロデュース」・・・「草食男子」）を、取得したウェブページの雛形の＜すべての用語＞の箇所に埋め込む。また、ウェブページ生成部１２３は、番組のタイトル「王様のブランチ」を変数＜番組タイトル＞の箇所に埋め込み。なお、ウェブページ生成部１２３は、番組のタイトルが存在する箇所を予め知っている、とする。
【０１１７】
次に、ウェブページ生成部１２３は、既存ウェブページ特定情報を取得する。ここでは、既存ウェブページ特定情報は、ＵＲＬが草食男子のページＴＯＰである、とする。
【０１１８】
次に、ウェブページ生成部１２３は、既存ウェブページ特定情報に対応するウェブページへのリンクを、用語の集合を埋め込んだ後のウェブページに付加する。そして、ウェブページ生成部１２３は、図１２に示すウェブページを得る。
【０１１９】
次に、蓄積部１２４は、生成されたウェブページを予め決められた蓄積場所に蓄積する。
【０１２０】
以上により、希少度が大きい用語に関するウェブページが自動生成される。そして、ユーザが新出の用語を用いてウェブ検索を行った場合、自動生成されたウェブページが検索できる。
【０１２１】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるウェブページ生成装置を実現するソフトウェアは、以下のようなプログラムである。つまり、このプログラムは、コンピュータを、２以上の用語を格納している用語データベースから、１以上の用語を取得する用語取得部と、前記用語取得部が取得した用語を用いて、１以上のウェブページを生成するウェブページ生成部と、前記ウェブページ生成部が生成した１以上のウェブページを、予め決められた蓄積場所に蓄積する蓄積部として機能させるためのプログラム、である。
【０１２２】
また、上記プログラムにおいて、前記用語取得部は、前記用語データベースから、２以上の用語を有する用語群を取得し、当該用語群を２以上の用語に分割し、当該２以上の用語を有する複数用語を１組以上取得し、前記ウェブページ生成部は、前記１組以上の各複数用語を用いて、１以上のウェブページを生成するものとして、コンピュータを機能させるためのプログラムであることは好適である。
【０１２３】
また、上記プログラムにおいて、前記用語取得部は、前記用語データベースから、現在から所定期間内に登録された用語のみを有する用語群を取得し、当該用語群を２以上の用語に分割し、当該２以上の用語を有する複数用語を１組以上取得するものとして、コンピュータを機能させるためのプログラムであることは好適である。
【０１２４】
また、上記プログラムにおいて、前記ウェブページ生成部は、前記用語取得部が取得した１以上の用語をタイトルまたはＵＲＬに有する、１以上のウェブページを生成するものとして、コンピュータを機能させるためのプログラムであることは好適である。
【０１２５】
また、上記プログラムにおいて、前記ウェブページ生成部は、既存のウェブページを特定する情報である１以上の既存ウェブページ特定情報を用いて、前記既存のウェブページとのリンクを１以上のウェブページに付加する処理をさらに行うものとして、コンピュータを機能させるためのプログラムであることは好適である。
【０１２６】
また、上記プログラムにおいて、前記既存ウェブページ特定情報と、１以上の用語の組である１以上の既存ウェブ情報を、記憶媒体に格納しており、前記ウェブページ生成部は、前記用語取得部が取得した用語と対になる既存ウェブページ特定情報を、前記記憶媒体から取得し、当該取得した既存ウェブページ特定情報を用いて、前記既存のウェブページとのリンクを１以上のウェブページに付加する処理をさらに行うものとして、コンピュータを機能させるためのプログラムであることは好適である。
【０１２７】
さらに、上記プログラムにおいて、前記用語取得部は、定期的に前記用語データベースにアクセスし、前回のアクセス時以降に前記用語データベースが更新されている場合、新たに追記された１以上の用語を前記用語データベースから取得するものとして、コンピュータを機能させるためのプログラムであることは好適である。
【０１２８】
また、図１３は、本明細書で述べたプログラムを実行して、上述した実施の形態のウェブページ生成装置等を実現するコンピュータの外観を示す。上述の実施の形態は、コンピュータハードウェア及びその上で実行されるコンピュータプログラムで実現され得る。図１３は、このコンピュータシステム３４０の概観図であり、図１４は、コンピュータシステム３４０のブロック図である。
【０１２９】
図１３において、コンピュータシステム３４０は、ＦＤドライブ、ＣＤ−ＲＯＭドライブを含むコンピュータ３４１と、キーボード３４２と、マウス３４３と、モニタ３４４とを含む。
【０１３０】
図１４において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１３１】
コンピュータシステム３４０に、上述した実施の形態のウェブページ生成装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０１３２】
プログラムは、コンピュータ３４１に、上述した実施の形態のウェブページ生成装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１３３】
また、上記プログラムを実行するコンピュータは、単数であってもよく、複数であってもよい。すなわち、集中処理を行ってもよく、あるいは分散処理を行ってもよい。
【０１３４】
また、上記各実施の形態において、一の装置に存在する２以上の通信手段は、物理的に一の媒体で実現されても良いことは言うまでもない。
【０１３５】
また、上記各実施の形態において、各処理（各機能）は、単一の装置（システム）によって集中処理されることによって実現されてもよく、あるいは、複数の装置によって分散処理されることによって実現されてもよい。
【０１３６】
本発明は、以上の実施の形態に限定されることなく、種々の変更が可能であり、それらも本発明の範囲内に包含されるものであることは言うまでもない。
【産業上の利用可能性】
【０１３７】
以上のように、本発明にかかるウェブページ生成装置は、多くのユーザからアクセスされ得るウェブページを自動的に構築できるという効果を有し、ウェブページ生成装置等として有用である。
【符号の説明】
【０１３８】
１  情報システム
１１  用語データベースサーバ装置
１２  ウェブページ生成装置
１３  ウェブサーバ装置
１４  端末装置
１１１  用語データベース格納部
１１２  用語群送信部
１２１  既存ウェブページ特定情報格納部
１２２  用語取得部
１２３  ウェブページ生成部
１２４  蓄積部
１３１  ウェブページ格納部
１３２  ウェブページ送信部
１４１  受付部
１４２  ウェブページ受信部
１４３  ウェブページ出力部
【図１】
2011138429.tif 000003
【図２】
2011138429.tif 000004
【図３】
2011138429.tif 000005
【図４】
2011138429.tif 000006
【図６】
2011138429.tif 000007
【図７】
2011138429.tif 000008
【図８】
2011138429.tif 000009
【図９】
2011138429.tif 000010
【図１０】
2011138429.tif 000011
【図１１】
2011138429.tif 000012
【図１２】
2011138429.tif 000013
【図１３】
2011138429.tif 000014
【図１４】
2011138429.tif 000015
【図５】
2011138429.tif 000016